【手続補正書】
【提出日】平成17年3月11日(2005.3.11)
【手続補正１】
【補正対象書類名】特許請求の範囲
【補正対象項目名】全文
【補正方法】変更
【補正の内容】
【特許請求の範囲】
【請求項１】
光を発生する光源と、
前記光源と前記液晶表示素子との間に配置される拡散板と
を備えたバックライトにおいて、
前記拡散板は、
前記光源から発生した前記光を拡散する拡散層と、
前記拡散層と一体で構成されるとともに、前記拡散層より前記液晶表示素子側に配置され、前記拡散層により拡散された前記光を前記液晶表示素子の方向に配光する配光層と
で構成され、
前記拡散層は、拡散子を含み、
前記配光層、および、前記拡散層の前記拡散子以外の部分を構成する第１の樹脂と、前記拡散子を構成する第２の樹脂とは、異なる樹脂材料である
ことを特徴とするバックライト。
【請求項２】
前記配光層は、前記液晶表示素子側の面にプリズム形状を有している
ことを特徴とする請求項１に記載のバックライト。
【請求項３】
前記第１の樹脂および前記第２の樹脂は、屈折率１．２乃至１．７の樹脂材料である
ことを特徴とする請求項１に記載のバックライト。
【請求項４】
前記拡散板は、前記拡散層と一体で構成されるとともに、前記拡散層より前記光源側に配置され、前記光源から発生した前記光を集光する集光層を更に備える
ことを特徴とする請求項１に記載のバックライト。
【請求項５】
前記集光層は、前記光源側の面に、前記光源との距離により形状の異なる複数のプリズムにより構成されるプリズム形状を有している
ことを特徴とする請求項４に記載のバックライト。
【請求項６】
前記集光層は、前記第１の樹脂で構成される
ことを特徴とする請求項４に記載のバックライト。
【請求項７】
液晶表示装置に設けられ、液晶表示素子を照明するためのバックライトに備えられている拡散板の製造方法において、
第１の樹脂を第１のシリンダに注入する第１の注入ステップと、
前記第１の樹脂とは異なる第２の樹脂が混合された前記第１の樹脂を第２のシリンダに注入する第２の注入ステップと、
前記第１の注入ステップの処理により前記第１の樹脂が注入された前記第１のシリンダ、および、前記第２の注入ステップの処理により前記第２の樹脂が混合された前記第１の樹脂が注入された前記第２のシリンダを用いて、多層押出し成形により、前記第１の樹脂、および、前記第２の樹脂が混合された前記第１の樹脂による２層のシートを成形する第１の成形ステップと、
前記第１の成形ステップの処理により成形された前記シートのうち、前記第１の樹脂の面に対して、表面ロール成形を施し、プリズム形状を成形する第２の成形ステップと
を含むことを特徴とする拡散板の製造方法。
【請求項８】
液晶表示装置に設けられ、液晶表示素子を照明するためのバックライトに備えられている拡散板の製造方法において、
第１の樹脂を第１のシリンダに注入する第１の注入ステップと、
前記第１の樹脂とは異なる第２の樹脂が混合された前記第１の樹脂を第２のシリンダに注入する第２の注入ステップと、
前記第１の樹脂を第３のシリンダに注入する第３の注入ステップと、
前記第１の注入ステップの処理により前記第１の樹脂が注入された前記第１のシリンダ、前記第２の注入ステップの処理により前記第２の樹脂が混合された前記第１の樹脂が注入された前記第２のシリンダ、および、前記第３の注入ステップの処理により前記第１の樹脂が注入された前記第３のシリンダを用いて、多層押出し成形により、前記第１の樹脂、前記第２の樹脂が混合された前記第１の樹脂、および、前記第１の樹脂により構成され、その表面に現れる層が、両面とも第１の樹脂による層となる３層のシートを成形する第１の成形ステップと、
前記第１の成形ステップの処理により成形された前記シートのうち、一方の前記第１の樹脂の面に対して、表面ロール成形を施し、プリズム形状を成形する第２の成形ステップと、
前記第１の成形ステップの処理により成形された前記シートのうち、他方の前記第１の樹脂の面に対して、表面ロール成形を施し、プリズム形状を成形する第３の成形ステップと
を含むことを特徴とする拡散板の製造方法。
【請求項９】
液晶表示装置に設けられ、液晶表示素子を照明するためのバックライトに備えられている拡散板の製造方法において、
第１の樹脂に第２の樹脂を混合する混合ステップと、
前記混合ステップの処理により前記第２の樹脂が混合された前記第１の樹脂をシート状に成形する第１の成形ステップと、
前記第１の形成ステップにより成形された前記シートのうちの一方の面に接して一体となるように、２Ｐ成形方法を用いて、プリズム形状の前記第１の樹脂を成形する第２の成形ステップと
を含むことを特徴とする拡散板の製造方法。
【請求項１０】
前記第１の形成ステップにより成形された前記シートのうちの他方の面に接して一体となるように、２Ｐ成形方法を用いて、プリズム形状の前記第１の樹脂を成形する第３の成形ステップ
を更に含むことを特徴とする請求項９に記載の拡散板の製造方法。
【請求項１１】
液晶表示素子と、
前記液晶表示素子を照明するためのバックライトと
を備え、
前記バックライトは、
光を発生する光源と、
前記光源と前記液晶表示素子との間に配置される拡散板と
を備え、
前記拡散板は、
前記光源から発生した前記光を拡散する拡散層と、
前記拡散層と一体で構成されるとともに、前記拡散層より前記液晶表示素子側に配置され、前記拡散層により拡散された前記光を前記液晶表示素子の方向に配光する配光層と
で構成され、
前記拡散層は、拡散子を含み、
前記配光層、および、前記拡散層の前記拡散子以外の部分を構成する第１の樹脂と、前記拡散子を構成する第２の樹脂とは、異なる樹脂材料である
ことを特徴とする液晶表示装置。
【請求項１２】
前記拡散板は、前記拡散層と一体で構成されるとともに、前記拡散層より前記光源側に配置され、前記光源から発生した前記光を集光する集光層を更に備える
ことを特徴とする請求項１１に記載の液晶表示装置。
【請求項１３】
液晶表示装置に設けられ、液晶表示素子を照明するためのバックライトにおいて、
光を発生する光源と、
前記光源と前記液晶表示素子との間に配置される拡散板と
を備え、
前記拡散板は、
前記光源から発生した前記光を集光する集光層と、
前記集光層と一体で構成されるとともに、前記集光層より前記液晶表示素子側に配置され、前記集光層により集光された前記光を前記液晶表示素子の方向に配光する配光層と
で構成され、
前記集光層は、前記光源側の面に、前記光源との距離により形状の異なる複数のプリズムにより構成されるプリズム形状を有している
ことを特徴とするバックライト。
【請求項１４】
前記配光層は、前記液晶表示素子側の面にプリズム形状を有している
ことを特徴とする請求項１３に記載のバックライト。
【請求項１５】
液晶表示素子と、
前記液晶表示素子を照明するためのバックライトと
を備え、
前記バックライトは、
光を発生する光源と、
前記光源と前記液晶表示素子との間に配置される拡散板と
を備え、
前記拡散板は、
前記光源から発生した前記光を集光する集光層と、
前記集光層と一体で構成されるとともに、前記集光層より前記液晶表示素子側に配置され、前記集光層により集光された前記光を前記液晶表示素子の方向に配光する配光層と
で構成され、
前記集光層は、前記光源側の面に、前記光源との距離により形状の異なる複数のプリズムにより構成されるプリズム形状を有している
ことを特徴とする液晶表示装置。
【手続補正２】
【補正対象書類名】明細書
【補正対象項目名】００３３
【補正方法】変更
【補正の内容】
【００３３】
本発明の第１のバックライトは、光を発生する光源と、光源と液晶表示素子との間に配置される拡散板とを備え、拡散板は、光源から発生した光を拡散する拡散層と、拡散層と一体で構成されるとともに、拡散層より液晶表示素子側に配置され、拡散層により拡散された光を液晶表示素子の方向に配光する配光層とで構成され、拡散層は、拡散子を含み、配光層、および、拡散層の拡散子以外の部分を構成する第１の樹脂と、拡散子を構成する第２の樹脂とは、異なる樹脂材料であることを特徴とする。すなわち、本発明の拡散板は、拡散層と配光層とが一体成形されて構成されている。また、光源としては、例えば、冷陰極蛍光灯またはＬＥＤなどを用いるようにすることができる。
【手続補正３】
【補正対象書類名】明細書
【補正対象項目名】００３５
【補正方法】削除
【補正の内容】
【手続補正４】
【補正対象書類名】明細書
【補正対象項目名】００３６
【補正方法】変更
【補正の内容】
【００３６】
第１の樹脂および第２の樹脂は、屈折率１．２乃至１．７の樹脂材料であるものとすることができる。
【手続補正５】
【補正対象書類名】明細書
【補正対象項目名】００３７
【補正方法】削除
【補正の内容】
【手続補正６】
【補正対象書類名】明細書
【補正対象項目名】００３９
【補正方法】変更
【補正の内容】
【００３９】
集光層は、光源側の面に、光源との距離により形状の異なる複数のプリズムにより構成されるプリズム形状を有しているものとすることができる。
【手続補正７】
【補正対象書類名】明細書
【補正対象項目名】００４０
【補正方法】削除
【補正の内容】
【手続補正８】
【補正対象書類名】明細書
【補正対象項目名】００４１
【補正方法】変更
【補正の内容】
【００４１】
集光層は、前記第１の樹脂で構成されるものとすることができる。
【手続補正９】
【補正対象書類名】明細書
【補正対象項目名】００４２
【補正方法】削除
【補正の内容】
【手続補正１０】
【補正対象書類名】明細書
【補正対象項目名】００４３
【補正方法】削除
【補正の内容】
【手続補正１１】
【補正対象書類名】明細書
【補正対象項目名】００４４
【補正方法】変更
【補正の内容】
【００４４】
本発明の第１のバックライトにおいては、光が発生されて、拡散板に入射され、拡散板において、光源から発生した光が拡散層で拡散され、配光層で配光され、配光層は、拡散層と一体で構成されるとともに、拡散層より液晶表示素子側に配置され、拡散層においては、拡散子を含み、配光層、および、拡散層の拡散子以外の部分を構成する第１の樹脂と、拡散子を構成する第２の樹脂とが、異なる樹脂材料とされる。
【手続補正１２】
【補正対象書類名】明細書
【補正対象項目名】００５２
【補正方法】変更
【補正の内容】
【００５２】
本発明の第１の液晶表示装置は、液晶表示素子と、液晶表示素子を照明するためのバックライトとを備え、バックライトは、光を発生する光源と、光源と液晶表示素子との間に配置される拡散板とを備え、拡散板は、光源から発生した光を拡散する拡散層と、拡散層と一体で構成されるとともに、拡散層より液晶表示素子側に配置され、拡散層により拡散された光を液晶表示素子の方向に配光する配光層とで構成され、拡散層は、拡散子を含み、配光層、および、拡散層の拡散子以外の部分を構成する第１の樹脂と、拡散子を構成する第２の樹脂とは、異なる樹脂材料であることを特徴とする。
【手続補正１３】
【補正対象書類名】明細書
【補正対象項目名】００５４
【補正方法】変更
【補正の内容】
【００５４】
本発明の第１の液晶表示装置においては、液晶表示素子と、液晶表示素子を照明するためのバックライトとが備えられ、バックライトにおいては、光が発生されて、拡散板に入射され、拡散板において、光源から発生した光が拡散層で拡散され、配光層で配光され、配光層は、拡散層と一体で構成されるとともに、拡散層より液晶表示素子側に配置され、拡散層は、拡散子を含み、配光層、および、拡散層の拡散子以外の部分を構成する第１の樹脂と、拡散子を構成する第２の樹脂とは、異なる樹脂材料である。
【手続補正１４】
【補正対象書類名】明細書
【補正対象項目名】００５５
【補正方法】変更
【補正の内容】
【００５５】
本発明の第２のバックライトは、光を発生する光源と、光源と液晶表示素子との間に配置される拡散板とを備え、拡散板は、光源から発生した光を集光する集光層と、集光層と一体で構成されるとともに、集光層より液晶表示素子側に配置され、集光層により集光された光を液晶表示素子の方向に配光する配光層とで構成され、集光層は、光源側の面に、光源との距離により形状の異なる複数のプリズムにより構成されるプリズム形状を有していることを特徴とする。
【手続補正１５】
【補正対象書類名】明細書
【補正対象項目名】００５７
【補正方法】削除
【補正の内容】
【手続補正１６】
【補正対象書類名】明細書
【補正対象項目名】００５８
【補正方法】変更
【補正の内容】
【００５８】
本発明の第２のバックライトにおいては、液晶表示素子と、液晶表示素子を照明するためのバックライトとが備えられ、バックライトにおいては、光が発生されて、拡散板に入射され、拡散板において、光源から発生した光が集光層で集光されて、配光層で配光され、配光層は、集光層と一体で構成されるとともに、集光層より液晶表示素子側に配置され、集光層は、光源側の面に、光源との距離により形状の異なる複数のプリズムにより構成されるプリズム形状を有している。
【手続補正１７】
【補正対象書類名】明細書
【補正対象項目名】００５９
【補正方法】変更
【補正の内容】
【００５９】
本発明の第２の液晶表示装置は、液晶表示素子と、液晶表示素子を照明するためのバックライトとを備え、バックライトは、光を発生する光源と、光源と液晶表示素子との間に配置される拡散板とを備え、拡散板は、光源から発生した光を集光する集光層と、集光層と一体で構成されるとともに、集光層より液晶表示素子側に配置され、集光層により集光された光を液晶表示素子の方向に配光する配光層とで構成され、集光層は、光源側の面に、光源との距離により形状の異なる複数のプリズムにより構成されるプリズム形状を有していることを特徴とする。
【手続補正１８】
【補正対象書類名】明細書
【補正対象項目名】００６０
【補正方法】変更
【補正の内容】
【００６０】
本発明の第２の液晶表示装置においては、液晶表示素子と、液晶表示素子を照明するためのバックライトとが備えられ、バックライトにおいては、光が発生されて、拡散板に入射され、拡散板において、光源から発生した光が集光層で集光されて、配光層で配光され、配光層は、集光層と一体で構成されるとともに、集光層より液晶表示素子側に配置され、集光層は、光源側の面に、光源との距離により形状の異なる複数のプリズムにより構成されるプリズム形状を有している。
【手続補正１９】
【補正対象書類名】明細書
【補正対象項目名】００７０
【補正方法】変更
【補正の内容】
【００７０】
請求項１に記載のバックライト（例えば、図４のバックライト６１、図１０のバックライト１５１）は、光を発生する光源（例えば、図４または図１０の蛍光管３１）と、光源と液晶表示素子との間に配置される拡散板（例えば、図４の拡散板７１、図１０の拡散板１６１、または、図１４の拡散板２０１）とを備え、拡散板は、光源から発生した光を拡散する拡散層（例えば、図４、図１０、または、図１４の拡散層８２）と、拡散層と一体で構成されるとともに、拡散層より液晶表示素子側に配置され、拡散層により拡散された光を液晶表示素子の方向に配光する配光層（例えば、図４、図１０、または、図１４の配光層８１）とで構成され、拡散層は、拡散子を含み、配光層、および、拡散層の拡散子以外の部分を構成する第１の樹脂（例えば、図７または図１２の第１の樹脂１０１）と、拡散子を構成する第２の樹脂（例えば、図７または図１２の第２の樹脂１０２）とは、異なる樹脂材料であることを特徴とする。
【手続補正２０】
【補正対象書類名】明細書
【補正対象項目名】００７１
【補正方法】削除
【補正の内容】
【手続補正２１】
【補正対象書類名】明細書
【補正対象項目名】００７３
【補正方法】変更
【補正の内容】
【００７３】
請求項５に記載の集光層は、光源側の面にプリズム形状を有しており、そのプリズム形状は、光源との距離により異なる複数のプリズム（例えば、図１４の入光制御部２２１）により構成されることを特徴とする。
【手続補正２２】
【補正対象書類名】明細書
【補正対象項目名】００７４
【補正方法】変更
【補正の内容】
【００７４】
請求項７に記載の拡散板の製造方法は、第１の樹脂を第１のシリンダ（例えば、図７の第１のシリンダ１０５）に注入する第１の注入ステップ（例えば、図６のステップＳ３の処理）と、第１の樹脂とは異なる第２の樹脂が混合された第１の樹脂を第２のシリンダ（例えば、図７の第２のシリンダ１０６）に注入する第２の注入ステップ（例えば、図６のステップＳ３の処理）と、第１の注入ステップの処理により第１の樹脂が注入された第１のシリンダ、および、第２の注入ステップの処理により第２の樹脂が混合された第１の樹脂が注入された第２のシリンダを用いて、多層押出し成形により、第１の樹脂、および、第２の樹脂が混合された第１の樹脂による２層のシートを成形する第１の成形ステップ（例えば、図６のステップＳ４の処理）と、第１の成形ステップの処理により成形されたシートのうち、第１の樹脂の面に対して、表面ロール成形を施し、プリズム形状を成形する第２の成形ステップ（例えば、図６のステップＳ５の処理）とを含むことを特徴とする。
【手続補正２３】
【補正対象書類名】明細書
【補正対象項目名】００７５
【補正方法】変更
【補正の内容】
【００７５】
請求項８に記載の拡散板の製造方法は、第１の樹脂を第１のシリンダ（例えば、図１２の第１のシリンダ１０５）に注入する第１の注入ステップ（例えば、図１１のステップＳ４３の処理）と、第１の樹脂とは異なる第２の樹脂が混合された第１の樹脂を第２のシリンダ（例えば、図１２の第１のシリンダ１０６）に注入する第２の注入ステップ（例えば、図１１のステップＳ４３の処理）と、第１の樹脂を第３のシリンダ（例えば、図１２の第１のシリンダ１８１）に注入する第３の注入ステップ（例えば、図１１のステップＳ４３の処理）と、第１の注入ステップの処理により第１の樹脂が注入された第１のシリンダ、第２の注入ステップの処理により第２の樹脂が混合された第１の樹脂が注入された第２のシリンダ、および、第３の注入ステップの処理により第１の樹脂が注入された第３のシリンダを用いて、多層押出し成形により、第１の樹脂、第２の樹脂が混合された第１の樹脂、および、第１の樹脂により構成され、その表面に現れる層が、両面とも第１の樹脂による層となる３層のシートを成形する第１の成形ステップ（例えば、図１１のステップＳ４４の処理）と、第１の成形ステップの処理により成形されたシートのうち、一方の第１の樹脂の面に対して、表面ロール成形を施し、プリズム形状を成形する第２の成形ステップ（例えば、図１１のステップＳ４５の処理）と、第１の成形ステップの処理により成形されたシートのうち、他方の第１の樹脂の面に対して、表面ロール成形を施し、プリズム形状を成形する第３の成形ステップ（例えば、図１１のステップＳ４６の処理）とを含むことを特徴とする。
【手続補正２４】
【補正対象書類名】明細書
【補正対象項目名】００７６
【補正方法】変更
【補正の内容】
【００７６】
請求項９に記載の拡散板の製造方法は、第１の樹脂に第２の樹脂を混合する混合ステップ（例えば、図８のステップＳ２３、または、図１３のステップＳ６３の処理）と、混合ステップの処理により第２の樹脂が混合された第１の樹脂をシート状に成形する第１の成形ステップ（例えば、図８のステップＳ２４、または、図１３のステップＳ６４の処理）と、第１の形成ステップにより成形されたシートのうちの一方の面に接して一体となるように、２Ｐ成形方法を用いて、プリズム形状の第１の樹脂を成形する第２の成形ステップ（例えば、図８のステップＳ２６、または、図１３のステップＳ６６の処理）とを含むことを特徴とする。
【手続補正２５】
【補正対象書類名】明細書
【補正対象項目名】００７７
【補正方法】変更
【補正の内容】
【００７７】
請求項１０に記載の拡散板の製造方法は、第１の形成ステップにより成形されたシートのうちの他方の面に接して一体となるように、２Ｐ成形方法を用いて、プリズム形状の第１の樹脂を成形する第３の成形ステップ（例えば、図１３のステップＳ６８の処理）を更に含むことを特徴とする。
【手続補正２６】
【補正対象書類名】明細書
【補正対象項目名】００７８
【補正方法】変更
【補正の内容】
【００７８】
請求項１１に記載の液晶表示装置は、液晶表示素子と、液晶表示素子を照明するためのバックライト（例えば、図４のバックライト６１、図１０のバックライト１５１）とを備え、バックライトは、光を発生する光源（例えば、図４または図１０の蛍光管３１）と、光源と液晶表示素子との間に配置される拡散板（例えば、図４の拡散板７１、図１０の拡散板１６１、または、図１４の拡散板２０１）とを備え、拡散板は、光源から発生した光を拡散する拡散層（例えば、図４、図１０、または、図１４の拡散層８２）と、拡散層と一体で構成されるとともに、拡散層より液晶表示素子側に配置され、拡散層により拡散された光を液晶表示素子の方向に配光する配光層（例えば、図４、図１０、または、図１４の配光層８１）とで構成され、拡散層は、拡散子を含み、配光層、および、拡散層の拡散子以外の部分を構成する第１の樹脂と、拡散子を構成する第２の樹脂とは、異なる樹脂材料であることを特徴とする。
【手続補正２７】
【補正対象書類名】明細書
【補正対象項目名】００７９
【補正方法】変更
【補正の内容】
【００７９】
請求項１３に記載のバックライト（例えば、図１５のバックライト２５１）は、光を発生する光源（例えば、図１５の蛍光管３１）と、光源と液晶表示素子との間に配置される拡散板（例えば、図１５の拡散板２６１）とを備え、拡散板は、光源から発生した光を集光する集光層（例えば、図１５の入光制御層２１１）と集光層と一体で構成されるとともに、集光層より液晶表示素子側に配置され、集光層により集光された光を液晶表示素子の方向に配光する配光層（例えば、図１５の配光層８１）とで構成され、集光層は、光源側の面に、光源との距離により形状の異なる複数のプリズムにより構成されるプリズム形状を有していることを特徴とする。
【手続補正２８】
【補正対象書類名】明細書
【補正対象項目名】００８０
【補正方法】変更
【補正の内容】
【００８０】
請求項１５に記載の液晶表示装置は、液晶表示素子と、液晶表示素子を照明するためのバックライト（例えば、図１５のバックライト２５１）とを備え、バックライトは、光を発生する光源（例えば、図１５の蛍光管３１）と、光源と液晶表示素子との間に配置される拡散板（例えば、図１５の拡散板２６１）とを備え、拡散板は、光源から発生した光を集光する集光層（例えば、図１５の入光制御層２１１）と集光層と一体で構成されるとともに、集光層より液晶表示素子側に配置され、集光層により集光された光を液晶表示素子の方向に配光する配光層（例えば、図１５の配光層８１）とで構成され、集光層は、光源側の面に、光源との距離により形状の異なる複数のプリズムにより構成されるプリズム形状を有していることを特徴とする。